(57)【要約】      （修正有）【課題】端末ユーザ１にとって面倒で時間のかかる登録ステップまたは時間のかかる料金請求ステップを実行する必要がなく、端末ユーザ１からコンテンツ・サービス２へのオンライン・アクセスを制御することができる方法を提供する。【解決手段】第１のシステム６では、端末ユーザ１の料金請求データに基づいてそのユーザ端末からのコンテンツ・サービス２へのアクセスの許否を判断し、拒絶の場合、端末ユーザ１を識別する第１のコード、リクエストされたサービスを識別する第２のコード、第２のシステム７への接続セットアップのための情報などが端末ユーザ１に送られ、端末ユーザ１はその情報を使用してコンテンツ・サービス２にアクセスすることができる。【選択図】図３
2004166226.tif 000002
【特許請求の範囲】
【請求項１】
電気通信システム（３）を介して端末ユーザ（１）からコンテンツ・サービス（２）への制御されたオンライン・アクセスを提供する方法であって、電気通信システム（３）はネットワーク（４）を含み、少なくとも１つの端末（５）がネットワーク（４）へ接続され、端末（５）はコンテンツ・サービス（２）を表示するディスプレイを含み、前記方法は第１のシステム（６）で使用され、第１のシステム（６）は第２のシステム（７）へ接続され、第１のシステム（６）は端末ユーザ（１）の料金請求データを記憶する手段（８）へ接続され、
前記方法は、
コンテンツ・サービス（２）へアクセスする端末（５）からのリクエストを第１のシステム（６）で受け取り（ａ）、前記リクエストは、ネットワーク（４）を使用して端末（５）から第１のシステム（６）へ送られ、前記リクエストは、端末ユーザ（１）及び／または端末（５）を識別する第１のコードを含み、
端末ユーザの料金請求データに基づいて前記端末（５）から前記コンテンツ・サービス（２）へのオンライン・アクセスを許可（ｂ２）または拒絶（ｂ１）し、
拒絶（ｂ１）の場合に、
前記第１のコード及びリクエストを識別する第２のコードを、端末ユーザの料金請求データと一緒に記憶し（ｄ）、
第２のシステム（７）への接続をセットアップする情報を端末（５）へ提供し（ｅ）、前記情報は第２のコードを含み、前記情報はネットワーク（４）を使用して第１のシステム（６）から端末（５）へ送られ、
前記第２のコードまたは関連コードを第２のシステム（７）で受け取り（ｆ）、第２のコードはネットワーク（４）を使用して端末（５）から第２のシステム（７）へ送られ、
前記第２のコードによって参照された端末ユーザの料金請求データを更新し（ｇ）、
前記端末（５）から前記コンテンツ・サービス（２）へのオンライン・アクセスを許可する（ｈ１、ｂ、ｂ２）
ステップを含む方法。
【請求項２】
次のアクセス・リクエストで前記端末（５）からのオンライン・アクセスを許可する（ｈ２）、請求項１に記載の方法。
【請求項３】
方法が、さらに、
第２のコードから端末ユーザ（１）の電話番号を引き出し、
端末ユーザ（１）の電話番号を使用してプレミアムＳＭＳメッセージを端末ユーザ（１）へ送る
ステップを含む、請求項１または２に記載の方法。
【請求項４】
端末ユーザの料金請求データを記憶する前記手段（８）が、第１のシステム（６）の一部分である、請求項１から３のいずれか一項に記載の方法。
【請求項５】
端末ユーザの料金請求データを記憶する前記手段（８）が、第２のシステム（７）の一部分である、請求項１から３のいずれか一項に記載の方法。
【請求項６】
前記第１のシステム（６）及び前記第２のシステム（７）が同じである、請求項１から４のいずれか一項に記載の方法。
【請求項７】
前記ネットワーク（４）が、パケット交換ドメイン（４ａ）及び回線交換ドメイン（４ｂ）を含む、請求項１から６のいずれか一項に記載の方法。
【請求項８】
前記リクエストが、パケット交換ドメイン（４ａ）を使用して端末（５）から第１のシステム（６）へ送られる、請求項７に記載の方法。
【請求項９】
前記情報が、パケット交換ドメイン（４ａ）を使用して第１のシステム（６）から端末（５）へ送られる、請求項７または８に記載の方法。
【請求項１０】
前記第２のコードが、回線交換ドメイン（４ｂ）を使用して端末（５）から第２のシステム（７）へ送られる、請求項７から９のいずれか一項に記載の方法。
【請求項１１】
端末ユーザの料金請求データの更新（ｇ）が、金額を端末ユーザの料金請求データへ加算することによって達成される、請求項１から１０のいずれか一項に記載の方法。
【請求項１２】
前記金額が第２のシステム（７）の料金に対応する、請求項１１に記載の方法。
【請求項１３】
端末ユーザの料金請求データの更新（ｇ）が、金額を端末ユーザの料金請求データへ加算することによって達成され、前記金額がプレミアムＳＭＳメッセージの料金に対応する、請求項３から１０のいずれか一項に記載の方法。
【請求項１４】
もし前記端末ユーザの料金請求データが存在しなければ、端末ユーザの料金請求データが自動的に作成される（ｃ）、請求項１から１３のいずれか一項に記載の方法。
【請求項１５】
方法が、さらに、
許可（ｂ２）の場合に、
リクエストされたコンテンツ・サービスを、第１のシステム（６）で検索し、
前記リクエストされたコンテンツ・サービス（２）を端末（５）へ転送する
ステップを含む、請求項１から１４のいずれか一項に記載の方法。
【請求項１６】
方法が、さらに、
許可（ｂ２）の場合に、
端末（５）を前記コンテンツ・サービス（２）へ接続する
ステップを含む、請求項１から１４のいずれか一項に記載の方法。
【請求項１７】
請求項１から１６のいずれか一項に記載の方法を実行するように構成されたシステム。
【発明の詳細な説明】
【技術分野】
【０００１】
本発明は、コンテンツ・サービスへのオンライン・アクセスに関する。さらに具体的には、コンテンツ・サービスへのアクセス及びその使用を端末ユーザへ許可または拒絶するようにしてコンテンツ・サービスへのアクセスを制御する方法及びシステムが開示される。
【背景技術】
【０００２】
端末ユーザからコンテンツ・サービスへのオンライン・アクセスを制御する解決法は既に知られている。その解決法では、端末ユーザは、コンテンツ・サービスへのアクセスを獲得するため、ユーザ名及びパスワードを提供しなければならない。ユーザ名が知られていないか、パスワードが無効であるとき、ユーザはアクセスを拒否される。この解決法の欠点は、ユーザ名及びパスワードを登録しなければならないことである。これは、端末ユーザ及びコンテンツ・プロバイダが登録ステップを実行しなければならないことを意味する。これは時間を消費する面倒な仕事である。
【０００３】
有料のコンテンツ・サービスについては、端末ユーザは、さらに、そのユーザの料金請求アカウントに基づいてアクセスを拒否される場合がある。この原則に基づく従来の解決方法は欠点を有する。すなわち、料金請求アカウントが存在しないか、料金請求アカウントが不十分な残高を有するとき、端末ユーザは新しい料金請求アカウントを作成するか、その残高を更新する追加のステップを実行しなければならない。再び、この追加ステップも、時間を消費する面倒な仕事である。
【０００４】
有料コンテンツ・サービスへのオンライン・アクセスを制御する他の解決方法は、特許文献１から知られる。この発明は、ユーザのデータ端末から有料サービスへのアクセスが、ユーザの電話から所定の電話番号への接続が存在する時間の間にユーザへ提供されるというアイデアに基づいている。この解決方法の欠点は、コンテンツ・サービスへのアクセスを許可されるためには、ユーザが２つの装置、すなわちデータ端末及び電話を必要とすることである。この解決方法の他の欠点は、同時に２つの接続が必要なことである。すなわち、アクセスを許可する電話接続及びコンテンツ・サービスを使用するデータ接続である。ユーザが同時に２つの接続を有することができない多くの場合が存在する。その１つの例は、ユーザがＰＯＴＳ（普通の電話網通信）へのただ１つの接続を有し、この１つの接続が、電話及びインターネット・アクセスの双方に使用されるが、同時には使用されない場合である。他の例は、ユーザが移動電気通信網、たとえばＧＳＭ／ＧＰＲＳネットワークの中にあり、移動端末は、ＧＳＭを介して電話接続を行い、ＧＰＲＳを介してデータ接続を行うことができるが、ユーザ端末の制限によって、これらを同時に行うことができない場合である。
【０００５】
さらに、有料コンテンツ・サービスへのオンライン・アクセスを制御する他の解決方法は、非特許文献１から知られる。この解決方法において、番号、すなわち本発明における第２のコードが、ｉモード状態にある顧客によって活性化されると、本発明では第１のシステムと呼ばれる支払いゲートウェイが活性化される。音声応答アプリケーション、すなわち本発明における第２のシステムとの対話で、顧客はアクセス・コードを受け取る。このアクセス・コードは、ｉモード・サイトで入力されなければならない。次に、ゲートウェイは、有料コンテンツへのアクセスを許可する。この解決方法の欠点は、顧客が、音声応答システムの応答を聞くことによって、アクセス・コードを受け取ることである。多くの場合、このようにして伝送されたコードは、正しく捕捉されない。次のステップで、顧客は、受け取られたコードをｉモード・サイトで入力しなければならない。このステップは、タイプ・エラーを起こしやすい。アクセス・コードを受け取って入力する全体の手順は、時間を消費し、顧客にとって面倒な仕事である。
【特許文献１】国際公開第９７／０１９２０号パンフレット
【非特許文献１】ｈｔｔｐ：／／ｗｗｗ．ａｕｄｉｏｔｅｘｔ．ｎｌ／ｎｅｗｓｉｔｅ／ｂｅｔａａｌｇａｔｅｗａｙ＿ｉｍｏｄｅ．ｈｔｍ  このように、従来技術は、時間を要する面倒な追加ステップを実行するか、２つの別々の装置を使用するか、または２つの同時接続を行うことなしに、端末ユーザからコンテンツ・サービスへのアクセスを獲得する解決方法を開示することができない。前述した追加ステップを必要とすることなく、端末ユーザからコンテンツ・サービスへのオンライン・アクセスを制御する解決方法は、移動電気通信網、たとえばＧＳＭ／ＧＰＲＳの端末ユーザへユーザフレンドリーな有料コンテンツを提供するアプリケーションで必要とされる。
【発明の開示】
【発明が解決しようとする課題】
【０００６】
本発明の目的は、顧客にとって面倒で時間のかかる登録ステップまたは時間のかかる料金請求ステップを実行する必要がなく、ユーザに必要な端末をただ１つにし、そのときアクティブな接続をただ１つにして、端末ユーザからコンテンツ・サービスへのオンライン・アクセスを制御できるようにする解決方法を提供することである。
【課題を解決するための手段】
【０００７】
本発明は、顧客にとって面倒で時間のかかる登録ステップまたは時間のかかる料金請求ステップを実行する必要がなく、ユーザによって必要とされる端末をただ１つにし、そのときアクティブな接続をただ１つにして、端末ユーザからコンテンツ・サービスへのオンライン・アクセスを制御することのできる解決方法を提供する。
【０００８】
本発明において、端末ユーザからコンテンツ・サービスへのオンライン・アクセスの制御は、電気通信システムを介して提供されることができる。電気通信システムはネットワークを含み、少なくとも１つの端末がネットワークへ接続され、端末は、コンテンツ・サービスを表示するディスプレイを含む。ネットワークは、パケット交換ドメイン及び回線交換ドメインを含むことができる。
【０００９】
方法は、第１のシステムで使用される必要がある。第１のシステムは第２のシステムへ接続されるが、第１のシステム及び第２のシステムが１つであって、同一であることも可能である。第１のシステムは、端末ユーザの料金請求データを記憶する手段へ接続される。方法は、次のステップ、またはそのサブセットを含むことができる。
【００１０】
−  コンテンツ・サービスへアクセスする端末からのリクエストを第１のシステムで受け取る。前記リクエストは、ネットワーク、可能性としてパケット交換ドメインを使用して、端末から第１のシステムへ送られる。前記リクエストは、端末ユーザ及び／または端末を識別する第１のコードを含む。
【００１１】
−  端末ユーザの料金請求データに基づいて、前記端末から前記コンテンツ・サービスへのオンライン・アクセスを許可または拒絶する。
【００１２】
オンライン・アクセスが拒絶された場合、次のステップが続く。
【００１３】
−  前記第１のコード、及びリクエストを識別する第２のコードを、端末ユーザの料金請求データと一緒に記憶する。
【００１４】
−  第２のシステムへの接続をセットアップする情報を端末に提供する。前記情報は、第２のコードを含み、ネットワーク、可能性としてパケット交換ドメインを使用して、第１のシステムから端末へ送られる。
【００１５】
−  前記第２のコードまたは関連コードを第２のシステムで受け取る。第２のコードは、ネットワーク、可能性として回線交換ドメインを使用して、端末から第２のシステムへ送られる。
【００１６】
−  第２のコードから端末ユーザの電話番号を引き出すことが可能であり、プレミアムＳＭＳメッセージ、すなわち、受け取り側が支払わなければならないＳＭＳメッセージが、端末ユーザへ送られる。
【００１７】
−  可能性として、金額を端末ユーザの料金請求データへ加算することによって、前記第２のコードによって参照された端末ユーザの料金請求データを更新する。前記金額は、たとえば、第２のネットワークを使用する料金に対応するか、プレミアムＳＭＳメッセージの料金に対応する。
【００１８】
−  可能性として、次のアクセス・リクエストで、前記端末から前記コンテンツ・サービスへのオンライン・アクセスを許可する。
【００１９】
もし端末ユーザの料金請求データが存在しなければ、それを自動的に作成することができる。
【００２０】
許可する場合、方法は、リクエストされたコンテンツ・サービスを第１のシステムで検索し、前記リクエストされたコンテンツ・サービスを端末へ転送するステップを含むか、または端末を前記コンテンツ・サービスへ接続するステップを含むことができる。
【００２１】
本発明の方法における前述したステップは、与えられた順序で実行される必要はないことに注意されたい。
【００２２】
本発明は、さらに、本発明の前述した方法を実行するように構成されたシステムに関連する。
【００２３】
本発明は、図面に示された例示的実施形態を参照して、より詳細に説明されるであろう。
【発明を実施するための最良の形態】
【００２４】
本発明を教示するため、以下で、本発明の方法及びシステムの好ましい実施形態を説明する。本発明の真の趣旨から逸脱することなく、本発明の他の代替及び同等の実施形態を考案して実施に移すことができることは、当業者に明らかであろう。本発明の範囲は、最終的に許可されたクレイムによってのみ限定される。
【００２５】
以下の説明で、図１及び図４が参照される。端末ユーザ１は、電気通信システム３を介してコンテンツ・サービス２へのアクセスを希望する。電気通信システム３は、ネットワーク４及び端末５を含む。端末５は、端末ユーザ１によって使用される。コンテンツ・サービス２へのアクセスを獲得するため、端末ユーザ１は、リクエストを第１のシステム６へ送る。このリクエストは、端末５または端末ユーザ１を識別する第１のコードを含む。第１のシステム６はリクエストを受け取る（ａ）。第１のシステム６は、端末ユーザの料金請求データに基づいて、コンテンツ・サービス２へのアクセスを許可するか（ｂ２）、拒絶する（ｂ１）かを決定する（ｂ）。したがって、端末ユーザの料金請求データを記憶する手段８が第１のシステム６へ接続され、端末ユーザの料金請求データが第１のシステム６からチェックされる。拒絶の場合、第１のコード及び第２のコードが、端末ユーザのデータと一緒に記憶される（ｄ）。もし端末ユーザのデータが存在しなければ、それが最初に作成される（ｃ）。端末５は、第２のシステム７への接続をセットアップする情報を提供される（ｅ）。この情報は、端末ユーザ１からのリクエストを識別する第２のコードを含む。端末ユーザ１は、端末５で情報を受け取り、提供された情報を使用することによって、第２のコードまたは関連のコードを第２のシステム７へ送る。関連のコードは、たとえば、第２のコードの暗号形式または第２のコードへの参照であってよい。第２のシステム７は、第２のコードを受け取る（ｆ）。端末５は、ここでアクセスを許可される（ｈ１）（ｂ）（ｂ２）。
【００２６】
図５は、本発明の代替の例示的実施形態の流れ図である。図５では、端末５は、次のアクセス・リクエスト（ａ）でアクセスを許可される（ｈ２）。
【００２７】
図２は、本発明の代替の例示的実施形態のブロック図である。ここで、ネットワーク２は、パケット交換ドメイン４ａ及び回線交換ドメイン４ｂを含む。端末５は、パケット交換ドメイン４ａを介して第１のシステム６へ接続され、回線交換ドメイン４ｂを介して第２のシステム７へ接続されることができる。
【００２８】
図３は、本発明の他の代替の例示的実施形態のブロック図である。端末５は、第１のシステム６を介してコンテンツ・サービス２へ接続されることができる。
【００２９】
端末ユーザ１からコンテンツ・サービス２へのオンライン・アクセスを制御可能にする解決方法を、例として図３及び図５に基づき、さらに詳細に説明する。
【００３０】
この例において、端末ユーザ１は移動する顧客であり、端末５はＧＳＭ／ＧＰＲＳ移動電話であり、パケット交換ドメイン４ａはＧＰＲＳネットワークであり、回線交換ドメイン４ｂはＧＳＭネットワークである。移動電話５は、インターネット類似のコンテンツ、たとえばｉモード・コンテンツを表示することができる。この例において、コンテンツ・プロバイダは、有料コンテンツ２を提供する。有料コンテンツ２へのアクセスは、アクセス・システム６を介してコンテンツ・サービス２へ接続しているときにのみ可能である。移動する顧客１が有料コンテンツ・サービス２への接続を直接試みるとき、移動する顧客１は、アクセス・システム６へリダイレクトされる。言い換えれば、移動する顧客１は、コンテンツ・サービス２へ直接接続することが不可能であるメッセージを、移動電話５のディスプレイ上で受け取り、コンテンツ・サービス２へ接続するために使用しなければならない新しいリンクを提供される。このリンクは、図５の第１のリクエスト（ａ）として使用されることができる。
【００３１】
ここで、移動する顧客１は、有料コンテンツ・サービス２へアクセスする有効なリクエストを行うことができる（ａ）。リクエストと一緒に、識別のための第１のコードが、アクセス・システム６へ送られる。この識別コードは、移動する顧客を識別するために使用されることができる。このタイプの識別コードの例は、移動加入者ＩＳＤＮ番号（ＭＳＩＳＤＮ）、国際移動加入者識別番号（ＩＭＳＩ）、及びＩＣＣ識別番号（ＩＣＣＩＤ）である。これらの識別番号は移動する顧客１のＳＩＭカードへ記憶される。ＳＩＭカードは移動電話５へ挿入される。移動する顧客を識別する他の方法の例は、ランダムに作成されたコードを使用することである。このコードは、アクセス・システム６の中で生成され、前述したような有料コンテンツ・サービス２へアクセスする有効なリクエスト（ａ）に先だって、移動電話５へ送られる。ランダムに生成されたコードは、現在のセッションの間、すなわち移動電話５がアクセス・システム６へ接続されている限り、顧客を識別するために使用されることができる。移動する顧客を識別する代わりに、移動電話５に記憶された国際移動機器識別番号（ＩＭＥＩ）によって移動電話を識別することも可能である。
【００３２】
移動端末５からアクセス・システム６へ識別番号を送るためには、コンパクトＨＴＭＬ（ｃＨＴＭＬ）言語を使用することができる。識別番号を含ませて有料コンテンツ・サービス２へのアクセスをリクエストするｃＨＴＭＬページ上のリンクは、次のようになる。
【００３３】
＜ａ  ｈｒｅｆ＝“ｌｉｎｋ  ｔｏ  ｒｅｑｕｅｓｔ  ｃｏｎｔｅｎｔ  ｓｅｒｖｉｃｅ”  ｕｔｎ＞
ｕｔｎタグを付加することによって、移動電話５からアクセス・システム６へＨＴＴＰヘッダの中のＩＭＥＩ＋ＩＣＣＩＤを送信することができる。ＨＴＴＰヘッダは、ＧＰＲＳドメイン４ａを介して移動端末５からアクセス・システム６へ送られる。
【００３４】
移動する顧客８の料金請求データに基づいてコンテンツ・サービス２へのアクセスが拒絶される場合（ｂ１）、たとえば、十分な残高が存在しないか、料金請求データが全く存在しない場合、第２のコードがアクセス・システム６で生成される。この第２のコードは、リクエストされたコンテンツ・サービス２を識別するために使用される。移動する顧客を識別する第１のコード、及びリクエストされたサービスを識別する第２のコードは、移動する顧客の料金請求データ８と一緒に記憶される。たとえば、これはエルダップ（ＬＤＡＰ）を使用することによって行うことができる。もし移動する顧客１がアクセス・システム６を介して有料コンテンツ・サービス２へのアクセスを初めてリクエストしたのであれば、移動する顧客の料金請求データ８は存在しないかも知れない。この場合、最初に、移動する顧客の料金請求データ８を自動的に作成することができる（ｃ）。
【００３５】
次に、アクセス・システム６は、ＧＰＲＳドメイン４ａを介して、新しいｃＨＴＭＬページを移動電話５へ送る（ｅ）。このｃＨＴＭＬページの上には、リクエストされたコンテンツ・サービスの費用に関する情報、及び第２のシステム７（この例では、ＤＴＭＦトーンを受け取ることのできる音声応答システム（ＶＲＳ）へ接続して第２のコードを送るためのクリック可能ボタンを置くことができる。音声応答システムへのリンクは、次のようになる。
【００３６】
＜（ａ  ｈｒｅｆ＝“ＮｏＤＴＭＦＳｕｐｐｏｒｔ．ｈｔｍｌ”  ｃｔｉ＝“１２３４５６７８９／１２３４５”＞
もし移動電話５がＤＴＭＦの送信をサポートしていなければ、ページＮｏＤＴＭＦＳｕｐｐｏｒｔ．ｈｔｍｌが要求され、リクエストされたコンテンツ・サービス２を受け取ることができなくなる。もしＤＴＭＦがサポートされていれば、ｃｔｉタグは、移動電話から電話番号１２３４５６７８９を呼び出させる。この電話番号は、音声応答システム７に対応する。移動電話５から音声応答システム７へのＧＳＭドメイン４ｂを介する接続が行われたとき、リクエストされたコンテンツ・サービスを識別する第２のコード（この場合、第２のコードは１２３４５に等しい）は、ＤＴＭＦを使用することによって送られる。
【００３７】
第２のコードが受け取られたとき（ｆ）、記憶された（ｄ）第２のコードを含む移動する顧客の料金請求データ８が、たとえばＬＤＡＰを使用することによって探索され、移動する顧客の料金請求データ８が更新される（ｇ）。この更新（ｇ）は、たとえば、許可されるアクセス数を示すカウンタが増加されること、または移動する顧客１がコンテンツ・サービス２の使用を許される特定の時間数が加えられることを意味する。リクエストされたコンテンツ・サービスを顧客に支払わせるため、たとえば１呼び出し当たり１，００ユーロの費用がかかるプレミアム０９００番号を使用することによって、音声応答システムを呼び出す料金に対応する金額が加算される。代替的に、第２のコードから、移動する顧客の電話番号、すなわちＭＳＩＳＤＮを引き出すことができ、プレミアムＳＭＳメッセージ、すなわち、受け取り側（移動する顧客）が支払わなければならないＳＭＳメッセージが、移動する顧客へ送られる。「引き出す」ことは、ＭＳＩＳＤＮが第２のコードの一部分であることを意味するか、それが第２のコードの中に暗号化されることを意味することができる。さらに、第２のコードに関して、ＭＳＩＳＤＮを含むデータベースが照会されてもよい。
【００３８】
移動する顧客１が、コンテンツ・サービス２にアクセスする次のリクエストを行ったとき、アクセスは許可されるであろう（ｂ２）。なぜなら、移動するユーザの料金請求データ８は、たとえば、現在十分な残高が存在することを示すからである。
【００３９】
リクエストされたコンテンツ・サービス２へのアクセス許可（ｂ２）は、プロキシ・サーバを使用することによって達成されることができる。プロキシ・サーバはアクセス・システム６の一部分であることができる。プロキシ・サーバは、リクエストされたコンテンツ・サービス２を検索し、それを移動電話５へ転送する。移動する顧客の料金請求データ８が、たとえば、時間の限度に達したためにアクセスがもはや許可されないことを示すとき、プロキシ・サーバはコンテンツ・サービス２へのアクセスをブロックし、本発明のアクセス・ステップの拒絶（ｂ１）を開始することができる。
【００４０】
アクセスの許可（ｂ２）は、さらに、ファイアウォールを使用することによって達成されることができる。ファイアウォールはアクセス・システム６の一部分であることができる。この場合、もし移動する顧客１がアクセスを許可されるならば（ｂ２）、コンテンツ・サービス２への接続を許可するようにファイアウォール規則を設定しなければならない。アクセスを拒絶する場合（ｂ１）、コンテンツ・サービス２への接続を拒絶するようにファイアウォール規則を設定して、移動電話５の上で「ページが発見されない」エラーを生じるようにしなければならない。
【００４１】
これまでの例は、本発明の目的が達成されることを明瞭に示す。アクセス・システム６は、移動する顧客１からコンテンツ・サービス２へのオンライン・アクセスを制御することを可能にする。時間がかかり、面倒な登録または登録ステップを実行する必要はない。その代わりに、移動する顧客１は、適切なリンクをクリックし、料金を支払い、アクセスを獲得することによって、リクエストされたコンテンツ・サービス２へアクセスすることができる。１つの移動電話を使用するだけで、双方のステップが可能である。そのとき１つの接続のみがアクティブである。なぜなら、ＧＰＲＳ接続及びＧＳＭ接続は、順次に行われるからである。
【図面の簡単な説明】
【００４２】
【図１】図１は本発明の例示的実施形態に従ったブロック図である。
【図２】図２は本発明の代替の例示的実施形態のブロック図である。
【図３】図３は本発明の他の代替の例示的実施形態のブロック図である。
【図４】図４は本発明の例示的実施形態に従った流れ図である。
【図５】図５は本発明の代替の例示的実施形態の流れ図である。
【符号の説明】
【００４３】
１  端末ユーザ
２  コンテンツ・サービス
３  電気通信システム
４  ネットワーク
４ａ  パケット交換ドメイン
４ｂ  回線交換ドメイン
５  端末
６  第１のシステム
７  第２のシステム
８  端末ユーザの料金請求データを記憶する手段
【図１】
2004166226.tif 000003
【図２】
2004166226.tif 000004
【図３】
2004166226.tif 000005
【図４】
2004166226.tif 000006
【図５】
2004166226.tif 000007
【外国語明細書】
1 Title of Invention
Method and system for controlled online access from a terminal user to a content service
2 Detailed Description of Invention
2004166226.tif 000008
2004166226.tif 000009
2004166226.tif 000010
2004166226.tif 000011
2004166226.tif 000012
2004166226.tif 000013
The invention also relates to a system arranged to perform the above-mentioned methods of the invention.
2004166226.tif 000014
2004166226.tif 000015
2004166226.tif 000016
2004166226.tif 000017
2004166226.tif 000018
2004166226.tif 000019
2004166226.tif 000020
3 Brief Description of Drawings
2004166226.tif 000021
2004166226.tif 000022
2004166226.tif 000023
2004166226.tif 000024
2004166226.tif 000025
2004166226.tif 000026
Representative Drawing Fig. 3
【図１】
2004166226.tif 000027
【図２】
2004166226.tif 000028
【図３】
2004166226.tif 000029
【図４】
2004166226.tif 000030
【図５】
2004166226.tif 000031